(57)【要約】【課題】  従来型の調剤薬局とは全く異なる発想の未来型の薬局を提供することにある。【解決手段】  調剤薬局へ提出された処方箋に基づきレセプト用コンピュータ端末装置に入力された処方箋内容のデータから自動で薬剤の名称と投与日数・飲み方を用いて必要剤数を算出して、発注データの形式に変換されたものとすることで、在庫センターで確実に発注データとして受注した案件ごとに処方薬を小分け包装することが可能になり、在庫を抱えずに駅ナカなど狭小店舗でも運営が可能になる。【選択図】  図３
2019053516.tif 000002
【特許請求の範囲】
【請求項１】
調剤薬局へ提出された処方箋に基づきレセプト用コンピュータ端末装置に入力された処方箋内容のデータから自動で薬剤の名称と投与日数・飲み方を用いて必要剤数を算出して、発注データの形式に変換されたものを受信し、発注データベースへ登録するとともに、発注データとして受注した案件ごとに処方薬を小分け包装する在庫センターへの納品指示表示を行う発注データ受信機能と、
発注データ受信機能による在庫センターへの納品指示の下、調剤薬局へ発送処理の完了した案件について在庫センターからその発送状況データを発注データベースへ登録するとともに、調剤薬局への発送状況表示を行う発送状況管理機能と、
発送状況管理機能による発送状況データを調剤薬局の顧客管理システムを用いてレセプト用コンピュータ端末装置と連動させて発送状況データと処方箋に共通ＩＤを付与して紐付けし、顧客管理システムから処方箋を提出した調剤薬局利用者の通信端末装置へ処方薬の引き渡し連絡を送信する引き渡し連絡機能と、
を備えたことを特徴とするクラウド型調剤管理システム。
【請求項２】
引き渡し連絡機能は、調剤薬局での処方薬の引き渡し、または、所定の場所への処方薬の配達を調剤薬局利用者へ問い合わせ送信し、所定の場所への処方薬の配達を希望される場合にはその旨の回答を受け付けることを特徴とする請求項１記載のクラウド型調剤管理システム。
【請求項３】
引き渡し連絡機能は、調剤薬局での処方薬の引き渡し可能な日時を送信することを特徴とする請求項１又は２記載のクラウド型調剤管理システム。
【請求項４】
調剤薬局は、駅などの交通インフラの拠点に店舗を構えることを特徴とする請求項１，２又は３記載のクラウド型調剤管理システム。
【発明の詳細な説明】
【技術分野】
【０００１】
本願発明は、従来型の調剤薬局（マンツーマン門前薬局など）とは全く異なる、未来型の薬局（在庫管理機能と窓口・コミュニケーション機能の分離）に関するものである。
【背景技術】
【０００２】
従来型の調剤薬局は、図１に示すような事業モデルが典型的であり、混雑時にはかなりの待ち時間になってしまうことも多い。
また、その運営スタイルも図２に示すように、各調剤薬局ごとに「在庫管理」や「調剤・投薬」を行っており、各調剤薬局の負担が大きく、その分患者（顧客）とのコミュニケーションが十分に図れないなどの弊害がある。
【０００３】
このような弊害を解消するために、例えば前者については「携帯電話を利用した処方薬受け取りシステム」（特許文献１）などが開発されている。
【０００４】
確かに、携帯電話・スマートフォンやインターネットなどを上手に利用して、従来型の調剤薬局の課題を改善していくことは可能かもしれない。
しかし、基本的な事業モデルや運営スタイルが大きく変わらない限り、従来型調剤薬局の課題は抜本的に解決されないと思われる。例えば、特許文献１の発明を例に挙げれば、図３に図示する自宅配送での処方薬の受取方法については、配送の際に薬剤師が同行し、患者の自宅で処方薬を渡す時に薬の説明を行うとあるが（同明細書［００２３］第２文）、あまりにも非現実的で実用化にはほど遠い発明と言わざるを得ない。
そこで、本願発明者は、従来型の調剤薬局とは全く異なる発想の未来型の薬局が必要であると考え、特許文献２に開示される「調剤薬局管理システム」を完成するに至った。
【先行技術文献】
【特許文献】
【０００５】
【特許文献１】特開２０１０−２４６８７３号公報
【特許文献２】特開２０１７−１４８４３０号公報
【発明の概要】
【発明が解決しようとする課題】
【０００６】
そして、本願発明者はさらにこの「調剤薬局管理システム」を実際に運用させるために必要な課題を解決すべく、本願発明を完成させた。
【課題を解決するための手段】
【０００７】
本願発明の第１の発明は、調剤薬局へ提出された処方箋に基づきレセプト用コンピュータ端末装置に入力された処方箋内容のデータから自動で薬剤の名称と投与日数・飲み方を用いて必要剤数を算出して、発注データの形式に変換されたものを受信し、発注データベースへ登録するとともに、発注データとして受注した案件ごとに処方薬を小分け包装する在庫センターへの納品指示表示を行う発注データ受信機能と、発注データ受信機能による在庫センターへの納品指示の下、調剤薬局へ発送処理の完了した案件について在庫センターからその発送状況データを発注データベースへ登録するとともに、調剤薬局への発送状況表示を行う発送状況管理機能と、発送状況管理機能による発送状況データを調剤薬局の顧客管理システムを用いてレセプト用コンピュータ端末装置と連動させて発送状況データと処方箋に共通ＩＤを付与して紐付けし、顧客管理システムから処方箋を提出した調剤薬局利用者の通信端末装置へ処方薬の引き渡し連絡を送信する引き渡し連絡機能と、を備えたことを特徴とするクラウド型調剤管理システムである。
本願発明の第２の発明は、引き渡し連絡機能は、調剤薬局での処方薬の引き渡し、または、所定の場所への処方薬の配達を調剤薬局利用者へ問い合わせ送信し、所定の場所への処方薬の配達を希望される場合にはその旨の回答を受け付けることを特徴とする同クラウド型調剤管理システムである。
本願発明の第３の発明は、引き渡し連絡機能は、調剤薬局での処方薬の引き渡し可能な日時を送信することを特徴とする同クラウド型調剤管理システムである。
本願発明の第４の発明は、調剤薬局が、駅などの交通インフラの拠点に店舗を構えることを特徴とする同クラウド型調剤管理システムである。
【発明の効果】
【０００８】
本願発明によれば、本願発明者による特許文献２に開示の「調剤薬局管理システム」を運用するために、調剤薬局へ提出された処方箋に基づきレセプト用コンピュータ端末装置に入力された処方箋内容のデータから自動で薬剤の名称と投与日数・飲み方を用いて必要剤数を算出して、発注データの形式に変換されたものとすることで、在庫センターで確実に発注データとして受注した案件ごとに処方薬を小分け包装することが可能になり、在庫を抱えずに駅ナカなど狭小店舗でも運営が可能になるとともに、店舗内での薬剤のピックアップ作業や在庫チェック・発注業務・納品検品業務が一切なくなるだけではなく、片や調剤薬局利用者にとっては処方薬を待つ待ち時間が無くなり、本願発明者の目指す未来型の薬局を実現できる。
【図面の簡単な説明】
【０００９】
【図１】従来型の調剤薬局を説明する説明図（１）。
【図２】従来型の調剤薬局を説明する説明図（２）。
【図３】本願発明に係るクラウド型調剤管理システムの概念図。
【発明を実施するための形態】
【００１０】
本願発明の実施形態を図面に基づいて説明する。但し、図示するものは、本願発明の一例であり、本願発明は図示のものに限定されるものではない。
【００１１】
図３は、本願発明に係るクラウド型調剤管理システムを図示した概念図である。
本システムは、まず、調剤薬局へ提出された処方箋に基づきレセプト用コンピュータ端末装置に入力された処方箋内容のデータから自動で薬剤の名称と投与日数・飲み方を用いて必要剤数を算出して、発注データの形式に変換されたものを受信し、発注データベースへ登録するとともに、発注データとして受注した案件ごとに処方薬を小分け包装する在庫センターへの納品指示表示を行う発注データ受信機能を有する。
例えば、必要剤数の算出は、レセプト用コンピュータ端末装置に入力された処方箋内容から以下のデータのみを抽出し、Ａ剤を４２錠（１日６錠×７日間）という計算になる。
・薬剤の名称：Ａ剤
・投与日数  ：７日間
・飲み方    ：毎食後１回２錠
また、「納品指示表示」は、本システムがクラウド上で運用されるものであるので、本システムにログインした通信端末装置の画面（モニター）に表示されることになる。これが図３に図示した在庫センターから本システムへの発注確認である。
【００１２】
次に、発注データ受信機能による在庫センターへの納品指示の下、調剤薬局へ発送処理の完了した案件について在庫センターからその発送状況データを発注データベースへ登録するとともに、調剤薬局への発送状況表示を行う発送状況管理機能を有する。
例えば、「発送状況データの発注データベースへの登録」は、本システムにログインした通信端末装置の画面（モニター）での表示からその操作を行えるようにしてもよい。
また、「発送状況表示」は、本システムがクラウド上で運用されるものであるので、「納品指示表示」と同様に本システムにログインした通信端末装置の画面（モニター）に表示されることになる。これが図３に図示した調剤薬局から本システムへの発送状況確認である。
【００１３】
さらに、発送状況管理機能による発送状況データを調剤薬局の顧客管理システムを用いてレセプト用コンピュータ端末装置と連動させて発送状況データと処方箋に共通ＩＤを付与して紐付けし、顧客管理システムから処方箋を提出した調剤薬局利用者の通信端末装置へ処方薬の引き渡し連絡を送信する引き渡し連絡機能を有する。以上によって、結果的に調剤薬局利用者は処方薬を受け取るための待ち時間が無く、処方薬を受け取ることができる。
ここで、顧客管理システムは、調剤薬局が備えているものであって、調剤薬局利用者のデータベースを有し、その中に登録されている調剤薬局利用者の電子メールアドレス等を利用して引き渡し連絡を送信する。
また、引き渡し連絡機能が、調剤薬局での処方薬の引き渡し、または、所定の場所への処方薬の配達を調剤薬局利用者へ問い合わせ送信し、所定の場所への処方薬の配達を希望される場合にはその旨の回答を受け付ける（受信する）ことや、引き渡し連絡機能が、調剤薬局での処方薬の引き渡し可能な日時を送信することで、処方薬の引き渡しがスムーズに行えるようになる。
なお、引き渡し連絡機能は、上記のように電子メール等の送受信手段を使用して本システムの方から調剤薬局利用者へ積極的に連絡し、調剤薬局利用者が受動的に引き渡し連絡を得られるようにするほかに、調剤薬局利用者が本システムにログインすることで能動的に引き渡し連絡（表示）を得られるようになっている。
【００１４】
本システムは、その他に、調剤薬局利用者の会員登録機能を備えてもよい。会員登録は本システムの会員データベースに登録されることとなり、クラウド上での問診票の作成が可能になるとともに、本システムの決済データベースにも登録可能になるので、Ｗｅｂによる決済（Ｗｅｂ決済）も可能になる。調剤薬局利用者にとっては調剤薬局利用の利便性が向上する。
【産業上の利用可能性】
【００１５】
本願発明は、従来型の調剤薬局（マンツーマン門前薬局など）とは全く異なる、未来型の薬局（在庫管理機能と窓口・コミュニケーション機能の分離）を運営するためのクラウド型調剤管理システムとして幅広く利用できる。
【図１】
2019053516.tif 000003
【図２】
2019053516.tif 000004
【図３】
2019053516.tif 000005
【手続補正書】
【提出日】平成31年1月15日(2019.1.15)
【手続補正１】
【補正対象書類名】特許請求の範囲
【補正対象項目名】請求項１
【補正方法】変更
【補正の内容】
【請求項１】
調剤薬局へ提出された処方箋に基づきレセプト用コンピュータ端末装置に入力された処方箋内容のデータから自動で薬剤の名称と投与日数・飲み方を用いて必要剤数を算出して、発注データの形式に変換されたものを受信し、発注データベースへ登録するとともに、発注データとして受注した案件（処方箋）ごとに処方薬を小分け包装する在庫センターへの納品指示表示を行う発注データ受信機能と、
発注データ受信機能による在庫センターへの納品指示の下、調剤薬局へ発送処理の完了した案件について在庫センターからその発送状況データを発注データベースへ登録するとともに、調剤薬局への発送状況表示を行う発送状況管理機能と、
発送状況管理機能による発送状況データを調剤薬局の顧客管理システムを用いてレセプト用コンピュータ端末装置と連動させて発送状況データと処方箋に共通ＩＤを付与して紐付けし、顧客管理システムから処方箋を提出した調剤薬局利用者の通信端末装置へ処方薬の引き渡し連絡を送信する引き渡し連絡機能と、
を備えたことで、店舗内での薬剤のピックアップ作業や在庫チェック・発注業務・納品検品業務が一切なくなることを特徴とするクラウド型調剤管理システム。